(57)【要約】【課題】圧力損失を低減することが可能なダクト式空調システムを提供すること。【解決手段】ダクト式空調システムのフィルタボックス（５０）は、空気取入れ面となる正面壁部（４１）と、空気取入ダクトが連結される天壁部と、天壁部に対向する底壁部（４９）と、正面壁部、底壁部および天壁部を連結して閉鎖した空間を作り出す周囲壁部（４６，４７，４８）とを有する容器（４０）と、正面壁部（４１）から容器（４０）の奥行き方向に向かって出し入れ可能な第１フィルタ（５１）と、正面壁部（４１）から容器（４０）の奥行き方向に向かって出し入れ可能であり、第１フィルタ（５１）に対して交差した角度で配置される第２フィルタ（５２）とを含む。【選択図】図６
2020094784.tif 000002
【特許請求の範囲】
【請求項１】
室内で取り入れた空気を室外で熱交換し、熱交換した空気を前記室内に送り込むダクト式空調システムであって、
前記室外に配置された空調機と、
前記室内に配置され、前記室内の空気を取り入れるフィルタボックスと、
前記フィルタボックスで清浄化された空気を前記空調機へ導く空気取入ダクトとを備え、
前記フィルタボックスは、空気取入れ面となる正面壁部と、前記空気取入ダクトが連結される天壁部と、前記天壁部に対向する底壁部と、前記正面壁部、前記底壁部および前記天壁部を連結して閉鎖した空間を作り出す周囲壁部とを有する容器と、
前記正面壁部から前記容器の奥行き方向に向かって出し入れ可能な第１フィルタと、前記正面壁部から前記容器の奥行き方向に向かって出し入れ可能であり、前記第１フィルタに対して交差した角度で配置される第２フィルタとを含む、ダクト式空調システム。
【請求項２】
前記第１フィルタおよび前記第２フィルタは、前記正面壁部側に位置する一方端と、前記周囲壁部側に位置する他方端とを含み、
前記第１フィルタおよび前記第２フィルタの一方端は、平面視において略Ｖ字状の頂点を形成する、請求項１に記載のダクト式空調システム。
【請求項３】
前記周囲壁部は、側壁部と後壁部とを含み、
前記第１フィルタおよび前記第２フィルタの他方端は、前記側壁部から離れて位置する、請求項２に記載のダクト式空調システム。
【請求項４】
前記第１フィルタおよび前記第２フィルタよりも目の粗い第３フィルタが前記周囲壁部の間に設置されており、
前記第１フィルタおよび前記第２フィルタの一方端は、前記第３フィルタから離れて位置する、請求項１〜３のいずれかに記載のダクト式空調システム。
【請求項５】
前記天壁部および前記底壁部には、前記第１フィルタおよび前記第２フィルタを出し入れ可能に受け入れる溝部が設けられている、請求項１〜４のいずれかに記載のダクト式空調システム。
【請求項６】
前記天壁部は、前記空気取入ダクトの入口に向かって収束する形状を有する、請求項１〜５のいずれかに記載のダクト式空調システム。
【発明の詳細な説明】
【技術分野】
【０００１】
この発明は、ダクト式空調システムに関し、室内で取り入れた空気を室外で熱交換し、熱交換した空気を室内に送り込むダクト式空調システムに関する。
【背景技術】
【０００２】
一般的に、ダクト式空調システムは、たとえば熱交換器、フィルタボックスおよび分岐ボックスなどの複数の機器がダクトで連結され、屋根裏に設けられている。
【０００３】
たとえば、特開２００８−１２２０２２号公報（特許文献１）には、天井に設けたフィルタボックスの室内排気口を、建物の室内側に臨ませた状態で配置したフィルタボックスが開示されている。フィルタボックスは、屋外から取り込んだ外気を室内に供給するための外気流路と、屋内から取り込んだ空気を屋外へ排気するための還気流路とを備えている。
【先行技術文献】
【特許文献】
【０００４】
【特許文献１】特開２００８−１２２０２２号公報
【発明の概要】
【発明が解決しようとする課題】
【０００５】
特許文献１のフィルタボックスは、外気流路において、フィルタの表面積を大きくすることで、外気流路の圧力損失の低減を図っている。しかし、特許文献１のフィルタボックスは、外気流路に加えて、還気流路が設けられており、フィルタボックス全体として圧力損失を考慮した構造ではない。
【０００６】
本発明は、上記のような課題を解決するためになされたものであって、その目的は圧力損失を低減することが可能なダクト式空調システムを提供することを目的とする。
【課題を解決するための手段】
【０００７】
本発明の一態様に係るダクト式空調システムは、室内で取り入れた空気を室外で熱交換し、熱交換した空気を室内に送り込む。ダクト式空調システムは、室外に配置された空調機と、室内に配置され、室内の空気を取り入れるフィルタボックスと、フィルタボックスで清浄化された空気を空調機へ導く空気取入ダクトとを備える。フィルタボックスは、空気取入れ面となる正面壁部と、空気取入ダクトが連結される天壁部と、天壁部に対向する底壁部と、正面壁部、底壁部および天壁部を連結して閉鎖した空間を作り出す周囲壁部とを有する容器と、正面壁部から容器の奥行き方向に向かって出し入れ可能な第１フィルタと、正面壁部から容器の奥行き方向に向かって出し入れ可能であり、第１フィルタに対して交差した角度で配置される第２フィルタとを含む。
【０００８】
好ましくは、第１フィルタおよび第２フィルタは、正面壁部側に位置する一方端と、周囲壁部側に位置する他方端とを含み、第１フィルタおよび第２フィルタの一方端は、平面視において略Ｖ字状の頂点を形成する。
【０００９】
好ましくは、周囲壁部は、側壁部と後壁部とを含み、第１フィルタおよび第２フィルタの他方端は、側壁部から離れて位置する、隙間が設けられている。
【００１０】
好ましくは、第１フィルタおよび第２フィルタよりも目の粗い第３フィルタが周囲壁部の間に設置されており、第１フィルタおよび第２フィルタの一方端は、第３フィルタから離れて位置する。
【００１１】
好ましくは、天壁部および底壁部には、第１フィルタおよび第２フィルタを出し入れ可能に受け入れる溝部が設けられている。
【００１２】
好ましくは、天壁部は、空気取入ダクトの入口に向かって収束する形状を有する。
【発明の効果】
【００１３】
本発明によれば、圧力損失を低減することが可能なダクト式空調システムを提供することができる。
【図面の簡単な説明】
【００１４】
【図１】本発明の実施の形態に係るダクト式空調システムが用いられた建物を示す模式図である。
【図２】本発明の実施の形態に係るダクト式空調システムを示す斜視図である。
【図３】フィルタボックスを示す図であって、（ａ）は斜視図であり、（ｂ）は天井壁部を透視した透視斜視図である。
【図４】フィルタボックスを示す図であって、（ａ）は正面図であり、（ｂ）は図４（ａ）のＩＶ（ｂ）−ＩＶ（ｂ）線に沿う縦断面図である。
【図５】フィルタボックスの一部分を示す図であって、（ａ）は天壁部の屋根部および正面壁部を取り外した斜視図であり、（ｂ）は天壁部の蓋部をさらに取り外した斜視図である。
【図６】図４（ａ）のＶＩ−ＶＩ線に沿う横断面図である。
【図７】第１，２フィルタを容器から取り出す方法を示す模式図である。
【発明を実施するための形態】
【００１５】
本発明の実施の形態について図面を参照しながら詳細に説明する。なお、図中同一または相当部分には同一符号を付してその説明は繰り返さない。
【００１６】
＜概要について＞
本実施の形態に係るダクト式空調システム１は、複数の部屋を空調する全館空調方式を採用している。はじめに、図１を参照しながら、全館空調形式を採用した建物１００について説明する。
【００１７】
建物１００は、たとえば２階建ての住宅であり、室内１１０には複数の部屋が配置されている。住宅１００の１階に、居室１１１，１１２および非居室１１３が配置されている。居室１１１は、たとえばリビングであり、居室１１２は、たとえば寝室などの個室である。非居室１１３は、階段１１４の上り口が設けられた通路室（廊下または玄関ホール）である。住宅１００の２階（すなわち最上階）には、複数の居室１１５，１１６および非居室１１７が配置されている。居室１１５，１１６は、たとえば寝室などの個室である。非居室１１７は、居室１１５側に階段１１４の下り口が設けられた通路室（廊下）である。つまり、階段１１４は１階と２階とを吹き抜ける吹抜け部であり、この階段１１４を介して、２階の非居室１１７と１階の非居室１１３とは仕切りなく通じている。そのため、これらの非居室１１３，１１７は、１つのホール部を構成している。
【００１８】
なお、本実施の形態において「部屋」とは、居室および非居室を含み、「居室」とは、居住、作業、娯楽などの目的のために継続的に使用する空間をいい、「非居室」とは、居室以外の室のうち、衛生目的や通路として使用され、継続的に使用されない空間を表わす。
【００１９】
住宅１００の１階と２階の間、２階と屋根の間には、天井裏１２０が形成されている。１階の室内１１０（居室１１１，１１２、非居室１１３）と天井裏１２０、２階の室内１１０（居室１１５，１１６、非居室１１７）と天井裏１２０は、天井仕切り部１２１により仕切られている。ここで、「室外」とは、室内１１０以外の空間であり、たとえば天井仕切り部１２１により仕切られた天井裏１２０、小屋裏などを含む空間である。この１，２階の天井裏１２０には、本実施の形態に係るダクト式空調システム１がそれぞれ設けられている。以下、ダクト式空調システム１について説明する。
【００２０】
＜ダクト式空調システムについて＞
図２をさらに参照して、ダクト式空調システム１について詳細に説明する。図２において、矢印Ａ１で示す方向を上下方向といい、矢印Ａ２で示す方向を横方向、矢印Ａ３で示す方向を奥行き方向という。
【００２１】
本実施の形態に係るダクト式空調システム１は、室内１１０で取り入れた空気を天井裏（室外）１２０で熱交換し、熱交換した空気を室内１１０に送り込むものである。本実施の形態に係るダクト式空調システム１は、たとえば空調機１０と、送風機２０と、分岐チャンバ３０と、フィルタボックス５０とを備える。空調機１０、送風機２０および分岐チャンバ３０は、天井裏１２０に配置されており、フィルタボックス５０は、室内１１０に配置されている。また、ダクト式空調システム１は、これらの空調機１０、送風機２０、分岐チャンバ３０、フィルタボックス５０および吹出し口構造７０（図１）を連結するものとして、第１主ダクト６１と、第２主ダクト６２と、空気取入ダクト６３と、複数の分岐ダクト６４とを備える。
【００２２】
空調機１０は、空調機本体１１と、空調機本体１１を覆う箱状の空調機用筐体１２とを含む。空調機本体１１は、たとえば家庭用の壁掛けエアコンである。空調機本体１１は、フィルタボックス５０で室内１１０から取り入れた空気を天井裏１２０で熱交換する。空調機用筐体１２は、断熱材で形成されていてもよい。空調機用筐体１２は、空調機本体１１を点検するための空調機点検口が設けられている。空調機点検口は、天井点検口１３０側を向くように設けられている。図２に示すように、空調機用筐体１２の側面には、奥行き方向に延びる第１主ダクト６１が連結されており、空調機１０は送風機２０と接続されている。空調機用筐体１２の下面には、上下方向に延びる空気取入ダクト６３が連結されており、空調機１０はフィルタボックス５０と接続されている。空気取入ダクト６３は、フィルタボックス５０で清浄化された空気を空調機１０へ導く。
【００２３】
フィルタボックス５０は、室内１１０の空気を空調機１０に送り込むために室内１１０の空気を吸い込むものである。フィルタボックス５０は、たとえば廊下などの非居室１１３，１１７に面している。フィルタボックス５０には、たとえばハウスダスト、花粉などの粉塵から空気を清浄するために複数のフィルターが取り付けられている。フィルタボックス５０は、メンテナンス作業を容易にするために、床面に配置されている。フィルタボックス５０の構成については、後述する。
【００２４】
送風機２０は、送風機本体２１と、送風機本体２１を覆う箱状の送風機用筐体２２とを含む。送風機本体２１は、たとえば送風用ファンであり、空調機１０で熱交換された空気を分岐チャンバ３０に向けて送り出すものである。送風機用筐体２２は、断熱材で形成されていてもよい。送風機用筐体２２の側面には、横方向に延びる第２主ダクト６２が連結されており、送風機２０は分岐チャンバ３０と接続されている。第１主ダクト６１と第２主ダクト６２とは直交する位置関係で送風機用筐体２２に取り付けられている。つまり、送風機２０は、空調機１０からの空気の流れる方向を転換させるものである。なお、送風機用筐体２２は、内部を点検するための送風機用点検口が設けられていてもよい。その場合、送風機用点検口は、天井点検口１３０側を向くように設けられていることが好ましい。
【００２５】
分岐チャンバ３０は、空調機１０で熱交換された空気を分岐して排出するものであり、第２主ダクト６２から送られてきた空気を、たとえば６つの分岐ダクト６４に分岐する。分岐チャンバ３０には、その内部において、空気の風量を調節するダンパが取り付けられている。
【００２６】
図１に示すように、吹出し口構造７０は、天井仕切り部１２１に設けられている。各分岐ダクト６４が各部屋に設けられた吹出し口構造７０に接続されることにより、分岐チャンバ３０内の空気を室内１１０に送り込むことが可能である。
【００２７】
図２に示すように、天井仕切り部１２１には、天井点検口１３０が設けられる。空調機１０、送風機２０および分岐チャンバ３０は、天井点検口１３０に隣接して設けられる。これにより、天井点検口１３０から空調機１０、送風機２０および分岐チャンバ３０にアクセスすることができるため、これらの機器の点検口を共通化することが可能である。なお、天井点検口１３０には、天井点検口１３０の開口部分を覆う蓋部（図示せず）が設けられ、蓋部は天井仕切り部１２１の一部を形成する。
【００２８】
＜フィルタボックスについて＞
図３〜図６は、フィルタボックス５０を示す図である。図３〜図６をさらに参照して、フィルタボックス５０について詳細に説明する。図５は、フィルタボックス５０を部分的に示す図であって、図５（ａ）は天壁部４２の屋根部４３および正面壁部４１を取り外した斜視図であり、図５（ｂ）は天壁部４２の屋根部４３をさらに取り外した斜視図である。図２の矢印と同様、図３，４，６において、矢印Ａ１で示す方向を上下方向といい、矢印Ａ２で示す方向を左右方向、矢印Ａ３で示す方向を奥行き方向という。
【００２９】
フィルタボックス５０は、概略的には、容器４０と、容器４０内に配置される第１フィルタ５１、第２フィルタ５２および第３フィルタ３とを含む。
【００３０】
容器４０は、たとえば蓋付きの箱型形状であり、正面壁部４１と、天壁部４２と、底壁部４９と、一対の側壁部４６，４７と、後壁部４８とを有する。
【００３１】
正面壁部４１は、室内１１０の空気を取り入れる空気取入れ面である。正面壁部４１は、その略全面が開口している。具体的には、正面壁部４１は、図３（ａ）および図３（ｂ）に示されるようなガラリであることが望ましい。正面壁部４１は、たとえば、略矩形形状の枠体と、枠体に支持される複数の羽板とを含む。羽板は、容器４０の外方に向かって斜め下方に延び、枠体に固定される。図１に示すように、正面壁部４１は、たとえば廊下などの非居室１１３，１１７を向いている。
【００３２】
正面壁部４１と対向する位置に後壁部４８が設けられる。後壁部４８は、正面壁部４１と平行に設けられる。また、正面壁部４１と後壁部４８の両端部をそれぞれ連結する一対の側壁部４６，４７が設けられる。一対の側壁部４６，４７および後壁部４８は、正面壁部４１、底壁部４９および天壁部４２を連結して、閉鎖した空間を作り出す周囲壁部である。なお、本実施の形態では、周囲壁部は、後壁部４８と一対の側壁部４６，４７で形成される平面視コの字状であるが、たとえば平面視半円形状、三角形の角部を形成する形状などであってもよい。
【００３３】
正面壁部４１、一対の側壁部４６，４７および後壁部４８の上方には、天壁部４２が設けられる。天壁部４２は、空調機１０と連結する空気取入ダクト６３が連結される。具体的には、図３（ｂ）に示すように、天壁部４２は、容器４０の上方外形を形成する屋根部４３と、屋根部４３の下方に設けられる第１，２蓋部４４，４５とを含む。
【００３４】
屋根部４３は、略三角形状であり、たとえば４枚設けられ、正面壁部４１、一対の側壁部４６，４７および後壁部４８の上方端と、空気取入ダクト６３の下方端とを連結する。図４（ｂ）に示すように、屋根部４３は、空気取入ダクト６３の入口に向かって収束する先細りの形状である。具体的には、屋根部４３の空気取入ダクト６３に対する傾斜角度θは、３０°以下である。一般的なフィルタボックスは、屋根部４３が空気取入ダクト６３に対して垂直に設けているため、フィルタボックス５０から空気取入ダクト６３に向かう空気が屋根部４３に衝突し、空気の流れが乱れて乱流が生じる。これに対し、本実施の形態のフィルタボックス５０は、屋根部４３の空気取入ダクト６３に対する傾斜角度θを３０°以下にすることにより、空気が屋根部４３の傾斜に沿って流れるため、一般的なフィルタボックスと比較して、圧力損失を４０％低減することができる。
【００３５】
図５（ａ）に示すように、第１，２蓋部４４，４５は、平面視略台形形状であり、２枚設けられる。第１蓋部４４は、紙面上の右側に設けられる第１側壁部４６、後壁部４８および後述する第１フィルタ５１の上端縁に掛け渡される。第１蓋部４４は、第１フィルタ５１に沿って傾斜する第１傾斜部４４ａを有する。第２蓋部４５は、紙面上の左側に設けられる第２側壁部４７、後壁部４８および後述する第２フィルタ５２の上端縁に掛け渡される。第２蓋部４５は、第２フィルタ５２に沿って傾斜する第２傾斜部４５ａを有する。第１，２蓋部４４，４５により、第１フィルタ５１および第２フィルタ５２で清浄化した空気と清浄化していない空気とを分離することが可能となる。
【００３６】
第１，２蓋部４４，４５には、第１フィルタおよび第２フィルタを出し入れ可能に受け入れる第１，２溝部４４ｂ，４５ｂが設けられている。第１，２溝部４４ｂ，４５ｂは、たとえば第１，２蓋部４４，４５の下面に設けられるレールである。第１溝部４４ｂは、第１蓋部４４の第１傾斜部４４ａに沿って設けられ、第２溝部４５ｂは、第２蓋部４５の第２傾斜部４５ａに沿って設けられている。第１，２溝部４４ｂ，４５ｂは、第１，２フィルタ５１，５２の上端縁全体を支持してもよいし、部分的に支持してもよい。
【００３７】
第１，２蓋部４４，４５と対向し、設置面（たとえば床面）と接する部分には底壁部４９が設けられている。第１，２蓋部４４，４５と同様、底壁部４９には、第１フィルタ５１および第２フィルタ５２を出し入れ可能に受け入れる第１，２溝部４９ａ，４９ｂが設けられている。第１，２溝部４９ａ，４９ｂは、たとえば底壁部４９の上面に設けられるレールである。第１溝部４９ａは、第１蓋部４４に設けられた第１溝部４４ｂと対向する位置に設けられている。第２溝部４９ｂは、第２蓋部４５に設けられた第２溝部４５ｂと対向する位置に設けられている。第１，２溝部４９ａ，４９ｂは、第１，２フィルタ５２の下端縁全体を支持してもよいし、部分的に支持してもよい。
【００３８】
図５（ａ）および図５（ｂ）に示すように、第１，２フィルタ５１，５２は、容器４０内に配置される。第１フィルタ５１および第２フィルタ５２は、略同一の大きさの略矩形形状であり、たとえば中性能フィルタまたは高性能フィルタとして好ましく用いられる。第１，２フィルタ５１，５２には、捕集効率が比色法で８０％以上、粉塵サイズが０．３μｍ以上のものが用いられることが好ましい。
【００３９】
図６に示すように、第１フィルタ５１は、正面壁部４１側に位置する一方端と、後壁部４８側に位置する他方端とを含む。第１フィルタ５１の一方端は、正面壁部４１の幅方向中央部に位置し、第１フィルタ５１の他方端は、第１側壁部４６に向かって斜めに延びている。つまり、第１フィルタ５１は、第１側壁部４６に対して傾斜して設けられている。第１フィルタ５１の上端縁は、第１蓋部４４の第１溝部４４ｂに嵌り、第１フィルタ５１の下端縁は、底壁部４９の第１溝部４９ａに嵌っている。これにより、第１フィルタ５１は、正面壁部４１側から容器４０の奥行き方向に向かって出し入れ可能である。
【００４０】
第２フィルタ５２は、正面壁部４１側に位置する一方端と、後壁部４８側に位置する他方端とを含む。第２フィルタ５２の一方端は、正面壁部４１の幅方向中央部に位置し、第１フィルタ５２の他方端は、第２側壁部４７に向かって斜めに延びている。つまり、第１フィルタ５２は、第２側壁部４７に対して傾斜して設けられている。第２フィルタ５２の上端縁は、第２蓋部４５の第２溝部４５ｂに嵌り、第２フィルタ５２の下端縁は、底壁部４９の第２溝部４９ｂに嵌っている。第２フィルタ５２は、正面壁部４１側から容器４０の奥行き方向に向かって出し入れ可能である。
【００４１】
これにより、第２フィルタ５２は、第１フィルタ５１に対して交差した角度で配置される。具体的には、第１フィルタ５１および第２フィルタ５２は、平面視Ｖ字状となる。また、第１，２フィルタ５１，５２の一方端同士は接している。そのため、第１フィルタ５１および第２フィルタ５２は、平面視において略Ｖ字状の頂点を形成する。
【００４２】
図６に示すように、第１フィルタ５１の他方端は、第１側壁部４６から離れて位置する。つまり、第１フィルタ５１の他方端縁と第１側壁部４６との間には、隙間Ｌ１が設けられている。同様に、第２フィルタ５２の他方端は、第２側壁部４７から離れて位置する。つまり、第２フィルタ５２の他方端縁と第２側壁部４７との間には、隙間Ｌ２が設けられている。これらの隙間Ｌ１，Ｌ２は、たとえば２〜１０ｍｍ程度であることが好ましい。隙間Ｌ１，Ｌ２が設けられることにより、後壁部４８と当接する第１，２フィルタ５１，５２の他方端縁からも空気を吸い込めるようになり、空気の流れをスムーズにすることができる。
【００４３】
図４（ｂ）および図６に示すように、正面壁部４１と第１，２フィルタ５１，５２の一方端との間で、第１，２側壁部４６，４７の間には、第３フィルタ５３が設置されている。第３フィルタ５３は、正面壁部４１と重なるように設けられ、正面壁部４１と平行に配置されている。第３フィルタ５３は、第１，２フィルタ５１，５２の一方端から離れて位置する。つまり、第１，２フィルタ５１，５２の一方端と第３フィルタ５３の表面との間には、隙間Ｌ３が設けられている。この隙間Ｌ３は、たとえば１０ｍｍ程度であることが好ましい。これにより、第１，２フィルタ５１，５２の一方端縁からも空気を吸い込めるようになり、空気の流れをスムーズにすることができる。
【００４４】
第３フィルタ５３は、矩形形状であり、第１フィルタ５１および第２フィルタ５２よりも目が粗い。具体的には、第３フィルタ５３には、捕集効率が質量法で６０〜８０％、粉塵サイズが５〜１０μｍのものが用いられることが好ましい。第３フィルタ５３でサイズの大きい塵埃等の微粒子を捕集し、第１，２フィルタ５１，５２でサイズの小さい塵埃等の微粒子を捕集することができる。
【００４５】
＜フィルタボックスの空気の流れについて＞
次に、図４（ｂ）および図６を参照して、フィルタボックス５０の空気の流れについて説明する。なお、図４（ａ）および図６で示す破線の矢印は、空気の流れを示している。
【００４６】
空調機１０のスイッチをＯＮにすると、室内１１０の空気は、正面壁部４１のガラリを通過し、第３フィルタ５３を通過する。第３フィルタ５３では、サイズの大きい粉塵が捕集される。第３フィルタ５３を通過した空気は、第１フィルタ５１および第２フィルタ５２を通過する。第１フィルタ５１および第２フィルタ５２では、サイズの小さい粉塵が捕集される。第１フィルタ５１および第２フィルタ５２を通過した空気は、清浄化された空気となり、図４（ａ）に示すように、天壁部４２で囲まれた空間を通過し、空気取入ダクト６３を通過して空調機１０へ導かれる。
【００４７】
第１フィルタ５１および第２フィルタ５２は、サイズの小さい粉塵を捕集することができる目の細かいフィルタであるため、第３フィルタ５３のように正面壁部４１のと平行に配置させると、圧力損失が大きくなる。そのため、本実施の形態では、第１フィルタ５１および第２フィルタ５２を交差した角度で配置することで、正面壁部４１に対して平行に設置する場合と比較して、面接触する面積を広くすることができ、面風速を小さくすることができるため、フィルタボックス５０の圧力損失を低減することが可能となる。さらに、屋根部４３の空気取入ダクト６３に対する傾斜角度θが４０°以下であるため、フィルタボックス５０の圧力損失をさらに低減することが可能となる。これにより、ダクト式空調システム１の消費電力を小さくすることができる。
【００４８】
＜フィルタボックスのメンテナンス作業について＞
図７を参照して、フィルタボックス５０のメンテナンスの作業について説明する。図７は、第１，２フィルタ５１，５２を容器４０から取り出す方法を示す模式図である。
【００４９】
まず、図４（ｂ）で示す正面壁部４１を取り外し、第３フィルタ５３を取り外して図７で示す状態にする。次に、第１フィルタ５１を奥行き方向手前に向かって引き出す。この場合、第１フィルタ５１は、第１側壁部４６に対して傾斜して設けられるため、紙面上の左側に引き出される。同様に、第２フィルタ５２を奥行き方向手前に向かって引き出す。この場合、第２フィルタ５２は、第２側壁部４７に対して傾斜して設けられるため、紙面上の右側に引き出される。さらに、新しい第１フィルタ５１を溝部（図示せず）に引き入れ、新しい第２フィルタ５２を溝部（図示せず）に引き入れ、新しい第３フィルタ５３を取り付けて、正面壁部４１に取り付ける。
【００５０】
このように、第１，２フィルタ５１，５２を奥行き方向に出し入れするだけでよいため、簡単にフィルタの交換を行うことができる。また、フィルタボックス５０は、天井裏１２０ではなく、室内１１０に設けられ、さらに床面上に設置されるため、ダクト式空調システム１を構成する機器の中で最もメンテナンス頻度の多いフィルタボックス５０のメンテナンスの負荷を軽減することができる。
【００５１】
なお、本実施の形態におけるフィルタボックス５０の第１，２フィルタ５１，５２は略同一形状であり、平面視において略Ｖ字状となるように配置したが、第１フィルタ５１に対して第２フィルタ５２が交差した角度で配置されていれば、第１フィルタ５１と第２フィルタ５２の形状は異なっていてもよいし、第１フィルタ５１および第２フィルタ５２が複数組み合わされて、たとえば平面視において略Ｗ字状となるように配置されていてもよい。
【００５２】
また、本実施の形態において、フィルタボックス５０は、床面上に配置されるとして説明したが、床面近傍に配置されていればよく、フィルタボックス５０のメンテナンスの際に上向き作業にならない程度の高さに配置されていればよい。
【００５３】
さらに、本実施の形態において、ダクト式空調システム１は、第１主ダクト６１と第２主ダクト６２との間に送風機２０が設けられるとしたが、たとえば空調機１０に内蔵されたファンの静圧能力が高い場合などは、送風機２０は設けられていなくてもよい。
【００５４】
また、本実施の形態において、ダクト式空調システム１を各階に配置したが、１つダクト式空調システム１で各部屋の空調を担うようにしてもよい。
【００５５】
さらに、本実施の形態の住宅は、空調機１０を各階に配置したが、１つの空調機１０で各部屋の空調を担うようにしてもよい。
【００５６】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００５７】
１  ダクト式空調システム、１０  空調機、１１  空調機本体、１２  空調機用筐体、２０  送風機、２１  送風機本体、２２  送風機用筐体、３０  分岐チャンバ、４０  容器、４１  正面壁部、４２  天壁部、４３  屋根部、４４  第１蓋部、４４ａ  第１傾斜部、４４ｂ  第１溝部、４５  第２蓋部、４５ａ  第２傾斜部、４５ｂ  第２溝部、４６  第１側壁部、４７  第２側壁部、４８  後壁部、４９  底壁部、４９ａ  第１溝部、４９ｂ  第２溝部、５０  フィルタボックス、５１  第１フィルタ、５２  第２フィルタ、５３  第３フィルタ、６１  第１主ダクト、６２  第２主ダクト、６３  空気取入ダクト、６４  分岐ダクト、７０  吹出し口構造、１００  住宅（建物）、１１０  室内、１１１，１１２，１１５，１１６  居室、１１３，１１７  非居室、１１４  階段、１２０  天井裏、１２１  天井仕切り部、１３０  天井点検口。
【図１】
2020094784.tif 000003
【図２】
2020094784.tif 000004
【図３】
2020094784.tif 000005
【図４】
2020094784.tif 000006
【図５】
2020094784.tif 000007
【図６】
2020094784.tif 000008
【図７】
2020094784.tif 000009